(57)【要約】      （修正有）【課題】従来の固定型の係合部を一端に備えたウィルキーよりも少ない本数で各種の弁の種々のハンドルに対応可能であり、しかも、堅牢、安価でかつ使用に際して安全なウィルキーを提供する。【解決手段】把持桿１１の両端にそれぞれ前記把持桿に対して垂直に突出する２本の係合突起からなる係合部１２、１３が設けられ、前記各係合部の２本の係合突起間の間隔は互いに相違することを特徴とするウィルキー。同じ係合部の２本の係合突起の長さは略同等とするのがよい。係合部間では、この長さは係合突起間の間隔に比例して設定できる。【選択図】図１
2006247806.tif 000002
【特許請求の範囲】
【請求項１】
把持桿の両端にそれぞれ前記把持桿に対して垂直に突出する２本の係合突起からなる係合部が設けられ、前記各係合部の２本の係合突起間の間隔は互いに相違することを特徴とするウィルキー。
【請求項２】
前記各係合部の前記2本の係合突起の長さは、前記２本の係合突起間の間隔に比例して設定される請求項１に記載のウィルキー。
【請求項３】
前記各係合部の2本の係合突起の長さは略同等である請求項１または２に記載のウィルキー。
【発明の詳細な説明】
【技術分野】
【０００１】
本発明はウィルキーに関し、より詳細には各種の気体や液体の配管系統に設けられた手動の流路開閉弁や遮断弁などのハンドルに係合させてこれらの弁を開閉するのに使用されるウィルキーに関する。
【背景技術】
【０００２】
火力発電プラントや化学プラントなどでは、各種の液体や水蒸気などの気体の配管系統に、その配管径に合わせて各種サイズの手動の流路開閉弁や遮断弁などが設けられている。これらの弁は、通常、円環部を有する丸ハンドルを備えており、これを操作することで弁を開閉することができるようになっている。しかし、これらの弁が長年使用されると、ネジ部分や摺動部分に塗布したグリスなどの潤滑剤が硬化したり、高温条件下で上記ネジ部分などが焼きつきを起こし、弁の開閉が困難になる場合がある。また、配管内の圧力が高くなるほど、ハンドルを操作して弁を開閉するのに大きな力を要する。
【０００３】
そのため、従来より、上記のような手動の流路開閉弁などの開閉を容易に行うために、所謂、ウィルキーが使用されている。図４は、従来のウィルキーを示す図である。この図において（ａ）は正面図を、（ｂ）は側面図を示している。図示のように、ウィルキー３は、金属製棒体である把持桿３１の一端に、係合部３２として該把持桿３１に対して略直角に２本の係合突起３２１、３２２が所定の間隔離して設けられている。これら2本の係合突起３２１、３２２の軸線は、互いに略平行となっている。なお、本明細書では、上記の「一端」の用語を「片側の端およびその近傍」の意味で使用するものとする。
これらの係合突起３２１、３２２の間に弁の開閉用ハンドルを係合し、上記把持桿３１の係合部３２側の端部とは反対側の端部を作業者が把持して操作することで、梃子の原理を利用してハンドルを所望の回転方向に容易に回転させることができ、その結果弁を容易に開閉することができるようになる。
【０００４】
ところで、丸ハンドル円環部の直径やそれを構成する部材の断面の太さなどには種々のものがある。そのため、このような把持桿の一端にのみ係合部が設けられている従来のウィルキー１本だけでは上記のような種々のハンドルに対応することができず、係合間隔の大きさが異なる係合部が設けられた複数本のウィルキーを準備し、これらの中から、適合するウィルキーを選択して使用しなければならなかった。
特に、燃料に原油や天然ガスを使用するプラントでは、可燃性ガスが存在するため、金属接触による火花発生を避けなければならず、例えば「ベアロン」(登録商標)などの防爆性工具を使用する必要がある。そのため、種々のハンドルに対応するウィルキーを複数本用意するのに非常に費用がかかるといった問題もある。
【０００５】
一方、実開平６−１７８７４号公報は、種々のハンドルに対応可能なハンドル用ウィルキーを提案している。このハンドル用ウィルキーは、操作桿に、操作桿から延長された固定脚と、操作桿に沿ってスライド自在に装着された固定脚に対して前進、後退可能な可動脚とを設け、前記固定脚と可動脚とを、操作桿から外側へ拡がる末広がり形状としたことを特徴とするものである。
【０００６】
しかし、このハンドル用ウィルキーは、使用に際して安全上問題を起こす可能性がある。すなわち、当該ハンドル用ウィルキーは、可動脚が固定ボルトにより操作桿に固定されているのみであるため、使用時に固定ボルトによる固定が緩み、その結果ハンドル用ウィルキーがハンドルから外れて操作者に当たり、操作者が負傷するなどの大事に至るおそれがある。また、可動脚のスライド部分は、これを堅牢な肉厚の構造とすると、固定脚および可動脚におけるハンドルとの係合位置が上記操作桿より離れた位置となり、ウィルキーをハンドルに十分に係合させることができないことから、薄く脆弱とせざるを得ない。その結果、使用時に、この脆弱な箇所が破損し、その破片が操作者に当たり操作者が負傷するなどの大事に至るおそれがある。
【０００７】
【特許文献１】実開平６−１７８７４号公報
【発明の開示】
【発明が解決しようとする課題】
【０００８】
本発明は、上記事情に鑑み、従来の固定型の係合部を一端に備えたウィルキーよりも少ない本数で各種の弁の種々のハンドルに対応可能であり、しかも、堅牢、安価でかつ使用に際して安全なウィルキーを提供することを目的とする。
【課題を解決するための手段】
【０００９】
本発明によれば、把持桿の両端にそれぞれ前記把持桿に対して垂直に突出する２本の係合突起からなる係合部が設けられ、前記各係合部の２本の係合突起間の間隔は互いに相違することを特徴とするウィルキーが提供される。
【００１０】
本発明のウィルキーにおいて把持桿の両端の係合部は、把持桿から同方向に、または把持桿から互いに離間するよう反対方向に設けられる。各係合部は、把持桿に対して略垂直に突出する２本の係合突起を備えている。これら２本の係合突起間の間隔（以下、係合間隔という。）は、通常、ハンドルの大きさ、ハンドルを構成する部材の断面形状やその大きさなどを考慮して、３〜１２cm程度の範囲で任意に設定できる。その際、２つの係合部の係合間隔は、それぞれ別種の大きさのハンドルに対応させるべく、互いに相違させておく。なお、本明細書では、上記「両端」の用語を「両方の端およびそれらの近傍」の意味で使用するものとする。
【００１１】
また、上記係合間隔は、上記の範囲内で段階的に規定された所定の大きさに設定することもできる。すなわち、大型ハンドルから小型ハンドル（極小も含む）までをそれらの大きさなどによって幾つかのグループ（例えば、２つ乃至６つ程度のグループ）に分類し、各グループ内に含まれるすべてのハンドルに対応可能なように係合間隔をそれぞれ規定し、この規定値をそれぞれの係合間隔の大きさとして設定する。この場合、２つの係合部における係合間隔は、それぞれ互いに異なる任意の規定値に設定可能であるが、相隣接する規定値に設定することが好ましい。
【００１２】
また、上記各係合部における2本の係合突起の長さは、当該２本の係合突起間の間隔に比例して設定されるのが好ましい。すなわち、一方の係合部における2本の係合間隔が他方のそれよりも大きい場合、これらの比に応じて、前者における２本の係合突起の長さは後者のそれよりも長く設定されるようにする。また、１の係合部における２本の係合突起の長さは相互に相違していてもよいが、好ましくはこれらの長さは略同等に設定されるのがよい。
【００１３】
本発明のウィルキーは、各種手動弁の例えば丸ハンドルなどの種々のハンドルに用いることができ、把持桿の一端の係合部を上記各種ハンドルに係合せしめ、他端の係合部を操作者が押したり引いたりして操作することにより、前記ハンドルを所望の回転方向に容易に回転せしめることができる。
【発明の効果】
【００１４】
本発明のウィルキーは、把持桿の両端にそれぞれ係合間隔の異なる係合部を設けることとしたので、従来の一端に固定型の係合部を有するウィルキーよりも、少ない本数で各種の弁の種々のハンドルに対応させることができる。また、少ない本数にできることから、従来のウィルキーよりも製作費用を安価にすることができる。しかも、本発明のウィルキーは、堅牢で使用時に操作者が負傷する可能性がなく安全である。
【発明を実施するための最良の形態】
【００１５】
以下、図面を参照して本発明の好ましい実施態様を説明する。なお、本発明は図面に例示された実施態様に限定されるものではない。
【００１６】
図１は、本発明のウィルキーの実施の形態の一例を示す図である。図１において（ａ）は正面図、（ｂ）は右側面図、（ｃ）は左側面図である。このウィルキー１は、把持桿１１の両端のそれぞれに係合部１２、１３が設けられており、係合部１２、１３は前記把持桿１１から互いに同方向に向けられている。係合部１２および１３は、それぞれ、２本の係合突起１２１、１２２および１３１、１３２により形成されており、これらの係合突起１２１、１２２および１３１、１３２は、いずれも把持桿に対して略垂直に突出している。２本の係合突起１２１、１２２と１３１、１３２とは、それぞれ、係合間隔１２３、１３３だけ離されている。
【００１７】
図２に、本発明のウィルキーの実施の形態の別の例を示す。図２において（ａ）は正面図であり、（ｄ）は（ａ）に示された本発明のウィルキー２の右側面図である。図示のウィルキー２は把持桿２１の両端のそれぞれに係合部２２、２３が把持桿２１に対して互いに反対方向に向けて設けられている以外は、図１に示された本発明のウィルキー１と本質的に相違するところはない。
【００１８】
図１および図２に例示した本発明のウィルキーにおいて、把持桿１１および各係合突起１２１、１２２、１３１、１３２の断面形状は、それぞれ使用時の握りやすさなどを考慮して、例えば略円形、略楕円形、略矩形などのなかから適宜設定できる。把持桿１１の断面形状と各係合突起１２１、１２２、１３１、１３２のそれとは同じであっても異なっていてもよいが、両者は同じ形状とすることが好ましい。また、各係合突起１２１、１２２、１３１、１３２の断面の寸法（例えば、円形の断面であれば、直径または半径）は、把持桿１１のそれと略同等とするか、またはそれよりも小さく設定することが好ましい。
【００１９】
図１および図２に例示する本発明のウィルキーは、使用に当たって予め複数本を用意し、これらを組み合わせたセットとしておくのがよい。図３は、図１に例示した本発明のウィルキーの組み合わせセットの一例を示している。図３（ａ）、（ｂ）および（ｃ）に示すように、本発明のウィルキー１，１，１は、３本で１組とされている。これらのウィルキーの係合部１３の係合間隔１３３は、図３に示すように、いずれも係合部１２の係合間隔１２３よりも大きく設定されている。すなわち、これらのウィルキー１、１、１、において、係合間隔は向かって左から順次、「大−中」、「中−小」、「小−極小」とされ、計４種類の大きさのハンドルに対応可能となっている。ここで、「大」、「中」、「小」および「極小」は、上記のように各種弁のハンドルを分類し、規定された係合間隔をそのグループ名によって段階的に表したものであり、「大」とは大型ハンドル用、「中」は中型ハンドル用、「小」は小型ハンドル用、「極小」は極小ハンドル用をそれぞれ示している。各々のウィルキーの係合間隔の組み合わせは上記の例に限られず、例えば、同じ4種類のハンドルに対応可能であっても、「大−中」、「小−極小」のように設定してもよい。この場合、2本のウィルキーで4種類の大きさのハンドルに対応できるようになる。なお、図示のように、各ウィルキーは、それぞれが両端に備える係合部の係合間隔の大きさに応じて把持桿の全長や断面の寸法、各係合突起の断面の寸法などを適宜設定することができる。
【００２０】
上記のように、本発明のウィルキーは、これ1本のみでも2種類の大きさのハンドルに対応できるので、従来の一端に固定型の係合部を有するウィルキーよりも操作者が現場に携行する本数を低減できるとともに、保管の点でも本数を低減できる。さらに両端の係合間隔がそれぞれ一致しない複数本のウィルキーからなる組み合わせセットを用いることで、あらゆる大きさの弁開閉用ハンドルに対応可能となる。
【産業上の利用可能性】
【００２１】
本発明のウィルキーは、少ない本数で各種の弁の種々のハンドルに対応でき、安全に弁の開閉が可能であり、特に各種の弁が多数設置されている大規模プラントなどの配管系統に好適に備えておくことができる。
【図面の簡単な説明】
【００２２】
【図１】本発明のウィルキーの実施の形態の一例を示す図面である。
【図２】本発明のウィルキー実施の形態の別の例を示す図である。
【図３】図１に例示した本発明のウィルキーの組み合わせセットの一例を示す図である。
【図４】従来のウィルキーを示す図面である。
【符号の説明】
【００２３】
１    ウィルキー
１１   把持桿
１２   係合部
１２１，１２２  係合突起
１２３  係合間隔
１３   係合部
１３１、１３２  係合突起
１３３  係合間隔
２    ウィルキー
２１   把持桿
２２   係合部
２２１、２２２  係合突起
２２３  係合間隔
２３   係合部
２３１、２３２  係合突起
２３３  係合間隔
３    ウィルキー
３１   把持桿
３２   係合部
３２１、３２２  係合突起
３２３  係合間隔
【図１】
2006247806.tif 000003
【図２】
2006247806.tif 000004
【図３】
2006247806.tif 000005
【図４】
2006247806.tif 000006